(57)【要約】【課題】ピクチャーフレームとしてだけでなく更にはがきとして二重の役目を果たすピクチャーフレームを提供する。【解決手段】ピクチャーフレームは、絵ないし写真であるピクチャーを取り付けるためのピクチャーホルダー１と、ホルダーの相対する両側にヒンジ式に形成された２つの折りたたみ部材２、３とを有し、これにより、２つの折りたたみ部材を後方に折りたたんだ場合、ピクチャーフレームはピクチャーを飾るために支えられて立てられ、２つの折りたたみ部材をフレームの前面を覆うように前方に折りたたんだ場合、それは郵送の準備ができた「はがき」として役立ち得る。【選択図】　　　　　　図１
2004034644.tif 000002
【特許請求の範囲】
【請求項１】
はがきの機能を有するピクチャーフレームであって、
ピクチャーを取り付けるために適合させられたピクチャーホルダーと、
前記ピクチャーホルダーの相対する両側にそれぞれヒンジ式に形成される第１折りたたみ部材および第２折りたたみ部材とを有し、
前記２つの折りたたみ部材を前記ピクチャーホルダーの後方に折りたたむことによって前記第１および第２の折りたたみ部材を係合させた場合、前記ピクチャーホルダーは、後方で係合された前記２の折りたたみ部材によって支えられて立たせられ、
前記２つの折りたたみ部材を前方に折りたたんで、前記ピクチャーホルダーに取り付けられる前記ピクチャーをカバーするために前記ピクチャーホルダーの前方で平坦な状態になるように係合させた場合、前記２つの折りたたみ部材により覆われるピクチャーホルダーは、郵送用のはがきとして役立ち得る、ピクチャーフレーム。
【請求項２】
前記ピクチャーホルダーは、
第１折りたたみ部材および第２折りたたみ部材が第１および第２の側にヒンジ式に形成させられる基板と、
基板の上に重ねられ、基板の第３の側にヒンジ式に形成されるとともに、基板の第４の側に形成されたフラップを用いて基板の第４の側に固定される枠部材と、
ピクチャーホルダーに差し込まれるピクチャーをディスプレイするために枠部材の中に形成されたディスプレイウィンドウと、
ピクチャーホルダーの相対する両側にそれぞれ形成される一対のスロットであって、各スロットはピクチャーをスロットを通してピクチャーホルダーの中に差し込むために枠部材および基板の間に形成されてなる一対のスロットと、
筆記または印刷のために基板の裏側に形成された記録面と、
を有してなる請求項１に記載のピクチャーフレーム。
【請求項３】
前記第１折りたたみ部材は、ピクチャーホルダーの基板の第１の側に、第１折りたたみ線に対してヒンジ式に形成されており、第１折りたたみ部材の外方部には第１係合穴が形成され、第１折りたたみ線に近い方の第１折りたたみ部材の内方部には第２係合穴が形成され、各々の係合穴は、第２折りたたみ部材に形成された係合ラッチと係合可能であり、第１折りたたみ部材の側方縁部には、ピクチャーホルダーの基板における第１の側の側方エッジと、鋭角および直角の中から選択された所定の角度で交わる第１の側方エッジが形成されてなる請求項２に記載のピクチャーフレーム。
【請求項４】
前記第２折りたたみ部材は、ピクチャーホルダーの基板の第２の側に、第２折りたたみ線に対してヒンジ式に形成されており、第２折りたたみ部材の外方部には前記係合ラッチが形成され、係合ラッチは第１折りたたみ部材の第１係合穴および第２係合穴から選択された１つの前記係合穴と係合可能であり、第２折りたたみ部材の側方縁部には、ピクチャーホルダーの基板における第２の側の側方エッジと、鋭角および直角の中から選択された所定の角度で交わる第２の側方エッジが形成されてなる請求項３に記載のピクチャーフレーム。
【請求項５】
前記ピクチャーホルダーは基板を有し、前記基板は前記ピクチャーを当該基板上に固定し得る請求項３に記載のピクチャーフレーム。
【請求項６】
前記基板は、前記ピクチャーを当該基板上に接着剤により直接付着し得る請求項５に記載のピクチャーフレーム。
【発明の詳細な説明】
【０００１】
【発明の属する技術分野】
本発明は、はがきの機能を有するピクチャーフレームに関する。
【０００２】
【従来の技術および発明が解決しようとする課題】
たとえば風景の写真を取った場合、それを郵送するためには、その写真を郵送のためだけに郵送用封筒に詰め込まなければならない。また、写真が、部屋に飾るために提供される場合、その写真をピクチャーフレームにはめ込まなければならず、写真をフレームに取り付けるための不便な手順が要求される。
【０００３】
本発明者は、これらの事情に鑑みてかかる課題を解決するために本発明の完成に至ったものであり、本発明の目的は、ピクチャーフレームとしてだけでなく更にはがき（ｐｏｓｔａｌ　ｃａｒｄ）として二重の役目を果たすピクチャーフレームを提供することにある。
【０００４】
【課題を解決するための手段】
本発明の目的は、絵ないし写真であるピクチャーを取り付けるためのピクチャーホルダーと、ホルダーの相対する両側にヒンジ式に形成された２つの折りたたみ部材とを有し、これにより、２つの折りたたみ部材を後方に折りたたんだ場合、たとえばピクチャーを飾るために支えられて立てられ、２つの折りたたみ部材をフレームの前面を覆うように前方に折りたたんだ場合、郵送の準備ができた「はがき」として役立ち得る、ピクチャーフレームを提供することによって達成される。
【０００５】
【発明の実施の形態】
以下、図面を参照して、本発明の実施の形態を説明する。
【０００６】
図１〜図６に示すように、本発明は、ピクチャーホルダー１と、ピクチャーホルダー１の相対する両側にそれぞれ形成された第１折りたたみ部材２および第２折りたたみ部材３とを有しており、絵ないし写真であるピクチャー４を、ピクチャーホルダー１に差し込み、はめ込み、または固定することができる。なお、ピクチャー４は、写真であることが特に好ましい。
【０００７】
本発明の全ての構成要素は、紙、ボール紙（板紙）、または他の適切な材料で作られることができ、本発明において限定されない。また、２つの折りたたみ部材２、３は、任意のロック機構によって連結されてもよく、本発明において限定されない。
【０００８】
ピクチャーホルダー１は、矩形形状、または他の任意形状として形成されることができ、本発明において限定されない。
【０００９】
ピクチャーホルダー１は、第１折りたたみ部材２および第２折りたたみ部材３が第１および第２の側にヒンジ式に形成させられる基板（ないしシート）１０と、基板１０の上に重ねられ、基板１０の第３の側にヒンジ式に形成されるとともに、基板１０の第４の側に形成されたフラップ１０ａを用いて基板１０の第４の側に（接着剤によって）付着ないし固定される枠部材１１と、ピクチャーホルダー１にピクチャー４が差し込まれるときこれをディスプレイするために枠部材１１の中に形成されたディスプレイウィンドウ１２と、ピクチャーホルダー１の相対する両側にそれぞれ形成される一対のスロット１３であって、各スロット１３はピクチャー４をスロット１３を通してピクチャーホルダー１の中に差し込むために枠部材１１および基板１０の間に形成されてなる一対のスロット１３と、郵送用に受取人の名前およびアドレスと差出人の名前およびアドレスとを書くか印刷するかのために基板１０の裏側に形成された記録面１０ｓ（図６）とを有する。なお、本明細書において、ヒンジ式とは、ヒンジのように折り返し可能であることを意味している。
【００１０】
第１折りたたみ部材２は、ピクチャーホルダー１の基板１０の第１の側に、第１折りたたみ線２０に対してヒンジ式に形成されており、第１折りたたみ部材２の外方部には第１係合穴２１が形成され、第１折りたたみ線２０に近い方の第１折りたたみ部材２の内方部には第２係合穴２２が形成され、各々の係合穴２１または２２は、第２折りたたみ部材３に形成された係合ラッチ３１と係合可能であり、第１折りたたみ部材２の側方縁部には、ピクチャーホルダー１の基板１０の垂直方向の側方エッジ上で折りたたみ線２０と９０度に近い鋭角θ（図４）をもって傾斜して交わる第１の側方エッジ２３が形成されている。
【００１１】
もちろん、第１折りたたみ部材２の側方エッジ２３は、ピクチャーホルダー１の基板１０の垂直方向の横縁に対して垂直でもよい（鋭角のバリエーションの一つが直角であることを示す）。
【００１２】
第１折りたたみ部材２の係合穴２１または２２はまた、第２折りたたみ部材３の「雄コネクタ」として形成され得る係合ラッチ３１に対応する「雌コネクタ」として形成されてもよい。
【００１３】
第２折りたたみ部材３は、ピクチャーホルダー１の基板１０の第２の側に、第２折りたたみ線３０に対してヒンジ式に形成されており、第２折りたたみ部材３の外方部には係合ラッチ３１が形成され、係合ラッチ３１は第１折りたたみ部材２の第１係合穴２１または第２係合穴２２と係合可能であり、第２折りたたみ部材３の側方縁部には、ピクチャーホルダー１の基板１０の垂直方向の側方エッジ上で折りたたみ線３０と９０度に近い鋭角θ（図４）をもって傾斜して交わる第２の側方エッジ３２が形成されている。
【００１４】
側方エッジ３２はまた、基板１０の垂直方向の側方エッジに対して垂直でもよい。それは、鋭角が今や９０度になることを意味する。
【００１５】
第１および第２の折りたたみ部材２、３を後方に折って、底エッジ１０ｂを面Ｓｆ上に配置するとき、第１係合穴２１を係合ラッチ３１に係合することによって第１および第２の折りたたみ部材２、３を連結すると、図３および図４に示すように、互いに連結される２つの折りたたみ部材２、３は、ホルダー１にはめ込まれるピクチャー４を飾るためにピクチャーフレームを支えて立たせるための支持スタンドとして働く。
【００１６】
図５に示すように、第２折りたたみ部材３の係合ラッチ３１を第１折りたたみ部材２の第２係合穴２２に係合すると、２つの折りたたみ部材２、３は、図５に示すように、平坦に係止されてピクチャー４を覆い（カバーし）、ピクチャーホルダー１の裏（逆）側の記録面１０ｓは、はがき用に印刷または筆記の用途のために提供される。
【００１７】
２つの折りたたみ部材２、３の安全な封止を確実にするために、粘着テープが適用されてもよく、これにより、２つの折りたたみ部材２、３は互いに付着されて、折りたたみ部材２、３の開放が防止され、本発明の「はがき」は高い信頼性をもって郵送され得るようになる。
【００１８】
本発明は、ピクチャーフレームとして、および郵送の準備ができたはがきとして役に立つ二重の役割を果たす。２つの折りたたみ部材２、３の係合位置を、ピクチャー４の前方（図５）あるいはピクチャー４の後方（図３）に、変化させるだけで、本発明は、郵送のため、またはディスプレイのために便利に使用され得る。
【００１９】
図７に示すように、ピクチャーホルダー１は、図１に示した枠部材１１を除去したものに改変されてもよい。そして、ピクチャー４は、符号Ａの点線で示されるように、基板１０に直接付着されてもよい。また、基板１０は、ディスプレイ目的でピクチャーホルダー１に直接ピクチャーを取り付けるために、ピクチャー４をはめ込むための４つまたは複数のスリットＳが切り込まれてもよい。
【００２０】
本発明は、本発明の趣旨および範囲から逸脱することなく、改変されることができる。好都合な郵送のための本当のはがきを「シミュレートする」ために、できるだけ薄いピクチャーホルダー１が作られた方がよい。ここで、「薄い」とは、はがきとしての機能を保持し得る程度に薄いということを意味している。
【００２１】
図８〜図１０に示すように、本発明を垂直にディスプレイするために、折りたたみ部材３は、ラッチ３１を係合穴２１に係合することによって、折りたたみ部材２と連結されてもよく、折りたたみ部材２の外端エッジ２４と折りたたみ部材３の内方部とが面（図１０）上で支持され、これにより、図１〜図４に示したものよりも縦長のピクチャー４をディスプレイするためにホルダー１を面上で支えることができる。したがって、本発明は、図１〜図４に示したように水平に、または図８〜図１０に示したように垂直に、いずれの方向に「配置」されてもよい。
【００２２】
【発明の効果】
以上説明したように、本発明によれば、ピクチャーフレームとして、および郵送の準備ができたはがきとして有用な二重の役割を果たすことができる。２つの折りたたみ部材の係合位置を、ピクチャーホルダーに取り付けられるピクチャーの前方あるいは後方に変化させるだけで、本発明は、郵送、またはディスプレイのために便利に使用され得る。
【図面の簡単な説明】
【図１】本発明の展開図である。
【図２】本発明のピクチャーホルダーにピクチャーを挿入した様子を示す図である。
【図３】フレームを支えるためにピクチャーホルダーの側部に形成された２つの折りたたみ部材を後方に折りたたんだときのピクチャーフレームを示す。
【図４】図３の側面図である。
【図５】２つの折りたたみ部材をホルダーのフレーム前面上に覆ったときの図である。
【図６】図５に示す本発明の背面図である。
【図７】本発明の他の好ましい実施形態を示す。である。
【図８】垂直方向に展開された場合の本発明を示す図である。
【図９】垂直方向に立てられた場合の斜視図である。
【図１０】図９の側面図である。
【符号の説明】
１…ピクチャーホルダー、
２…第１折りたたみ部材、
３…第２折りたたみ部材、
４…ピクチャー、
１０ａ…フラップ、
１０…基板、
１０ｂ…底エッジ、
１０ｓ…記録面、
１１…枠部材、
１２…ディスプレイウィンドウ、
１３…スロット、
２０…第１折りたたみ線、
２１…第１係合穴、
２２…第２係合穴、
２３…第１の側方エッジ、
２４…外端エッジ、
３０…第２折りたたみ線、
３１…係合ラッチ、
３２…第２の側方エッジ、
Ｓ…スリット、
Ｓｆ…面、
θ…鋭角（直角）。
【図１】
2004034644.tif 000003
【図２】
2004034644.tif 000004
【図３】
2004034644.tif 000005
【図４】
2004034644.tif 000006
【図５】
2004034644.tif 000007
【図６】
2004034644.tif 000008
【図７】
2004034644.tif 000009
【図８】
2004034644.tif 000010
【図９】
2004034644.tif 000011
【図１０】
2004034644.tif 000012